(57)【要約】      （修正有）【課題】駐車場の駐車料金の単価を表示することにより駐車場利用者の利便性を向上させる。【解決手段】各時間帯の駐車料金の単価を表示した表示板に表示ランプを設置しておき、現在の時刻に対応する時間帯の表示ランプあるいは表示を点灯（点滅）させる。別の実施例では、入力装置１３から入力した各時間帯の駐車料金の単価をメモリ１７に格納しておく。時計部１９からの時刻情報に基づき、現時刻における駐車料金の単価を表示板１１に表示させる。【選択図】図２
0003134738.tif 000002
【実用新案登録請求の範囲】
【請求項１】
駐車場における駐車料金の単価を表示板上に表示する駐車料金の表示システムにおいて、
少なくとも現在の曜日、および、時刻を計時し、出力する時計手段と、
前記時計手段の出力に応答して、前記表示板上に表示された駐車料金の単価のうち現在の時刻に対応する駐車料金の単価を特定する手段と、
から構成されることを特徴とする駐車料金の表示システム。
【請求項２】
駐車場における駐車料金の単価を表示板上に表示する駐車料金の表示システムにおいて、
曜日、および、時間帯の少なくとも１つに対応して予め定められる駐車料金の単価を格納する駐車料金格納手段と、
少なくとも現在の曜日、および、時刻を計時し、出力する時計手段と、
前記時計手段から出力される現在の時刻に対応する現在の駐車料金の単価を前記駐車料金記憶手段から求め、その時刻における駐車料金の単価を表示板上に表示する表示手段と、
から構成されることを特徴とする駐車料金の表示システム。
【請求項３】
前記表示板上に表示される駐車料金の単価に加えて、その単価が適用される時間帯を表示することを特徴とする請求項２記載の駐車料金の表示システム。
【考案の詳細な説明】
【技術分野】
【０００１】
本考案は、駐車場を利用する駐車料金の単価を表示板上に表示する駐車料金の表示システムに関し、さらに詳しくは現在の時刻に対応した駐車料金の単価を表示板上に表示する駐車料金の表示システムに関する。
【背景技術】
【０００２】
駐車場における駐車料金の単価は、その利用する時間帯によって変化する。すなわち、駐車場の利用を希望する利用者が多い時間帯の駐車料金の単価は高く設定される一方、それ以外の時間帯は低くなる。また、利用する曜日によっても駐車料金の単価は変化する。これらの駐車料金の単価は、一般に時間帯別に表示板上に表示される。利用者は、現在の時刻を知り、その表示板上の表示から利用する時間帯の単価を見つけ出す必要がある。
【考案の開示】
【考案が解決しようとする課題】
【０００３】
しかしながら、表示板上に表示され駐車料金の単価から現在の単価を直ちに特定することは、必ずしも簡単ではない。特に、一般道から駐車場へ進入する場合、歩行者道を横切ることも多く、車両を運転しながら探し出すことは、安全上の配慮から危険である。そこで、現在の駐車料金の単価が直ちに認識可能な表示板を設置することが望ましい。また、駐車料金の単価が直ぐに分かることから、駐車場を利用する利用者に安心感を与える。
【課題を解決するための手段】
【０００４】
本考案は、上記課題を解決するためになされたものであり、時計手段からの現在時間に応答して、表示板上に表示された駐車料金の単価のうち現在の時刻に対応する駐車料金の単価を特定する駐車料金の表示システムを提供する。
【０００５】
また、本考案は、曜日、および、時間帯の少なくとも１つに対応して予め定められる駐車料金の単価を駐車料金格納手段に格納しておき、時計手段から出力される現在の時刻に対応する現在の駐車料金の単価を駐車料金記憶手段から求め、その時刻における駐車料金の単価を表示板上に表示する駐車料金の表示システムを提供する。
【考案の効果】
【０００６】
本考案は、表示板上に表示された駐車料金の単価を直ちに認識することができるので、利用者にとって安心感を与え便宜であり、また、安全な車両運転に寄与することができる。
【実施例】
【０００７】
図１は、本考案の一実施例である表示システム１０を示すブロック図である。表示システム１０は、表示板１１、その表示板１１を制御する表示制御装置１２、表示制御装置１２へ表示板１１上に表示される情報、その他の情報を入力する入力装置１３からなる。図1に示される構成ブロック図は、駐車料金の表示システムを構成する基本的な構成を説明するための要素を示したものであり、駐車場を管理するために必要な要素、例えば、駐車料金の徴収や領収書の発行を行なう料金精算機、車両の入出退を規制するフラッパ、その他の構成要素については、本ブロック図には示されていない。
【０００８】
なお、表示システム１０は、各駐車場に独立して設置されてもよいが、各駐車場を電気通信設備によりネットワークを結び、遠隔地に設置された遠隔入力装置１４により、所定の情報を表示システム１０に送るようにしてもよく、また各駐車場における利用状況を含む様々な管理情報を遠隔地に伝送するように構成してもよい。
【０００９】
入力装置１３は、例えばパーソナル・コンピュータでよく、そのキーボードから曜日毎あるいは時間帯毎の所定の駐車料金の単価を入力することができる。また、各表示板に様々な利用者のために表示する情報を入力することもできる。入力された情報は、表示制御装置１２の入力制御部１５で受け取られ、処理部１６を経由してＲＡＭのようなメモリ１７に格納される。処理部１６は、プログラム制御されるコンピュータでよく、また、料金精算機の機能の一部を用いてもよい。
【００１０】
表示部１１は、様々な形態が想定されるが、基本的に現在の時刻における駐車料金の単価が即座に判断できればよい。図２は、本考案の一実施例である表示板を示す。このタイプの表示板では、予め表示された曜日、時間帯毎の料金に対応する表示ランプ２１を設置し、現在時間に対応する表示ランプを点灯することにより、現在の単価が認識できる。表示ランプは、白熱、蛍光、発光ダイオード（ＬＥＤ）、液晶表示（ＬＣＤ）などの表示デバイスが用いられる。例えば、現在の曜日が休日であり、時刻が８時から２２時の間である場合は、表示ランプ２２が点灯する。より強調したい場合は、点滅するようにしてもよい。図２の例では、駐車料金が１５分毎に１００円の単価であることが直ちに分かる。
【００１１】
同様に、図３に示すように、単位時間の駐車料金を示す文字の下に下線状の表示部を設け、該当する時間になるとその表示部を点灯（点滅）表示することにより、現在の単価を明示することができる。この下線状の表示部は、図２の場合と同様に、白熱、蛍光、ＬＥＤ、ＬＣＤなどの表示デバイスが用いられる。図３の例では、表示部３１が点灯しているので、現在の駐車料金の単価が２０分毎に１００円であることが即座に認識できる。
【００１２】
図２、図３の表示板では、駐車料金の単価は予め定まっており、現在の時刻に対応する単価に対応する部分を特定する方式であるが、図４は、現在の駐車料金の単価の表示を右から左へ移動表示する表示板４１を示す。もちろん、現在の駐車料金の単価を静止表示してもよい。
【００１３】
図１に戻り、処理部１６は、時計部１９から現在の曜日および時刻を読み出し、その曜日および時刻に対応する図２の表示ランプあるいは図３の表示部を指定する信号を表示駆動部１８へ送る。表示駆動部１８は、処理部１６から受け取った信号に基づき、対応する表示ランプあるいは表示部を点灯させる。
【００１４】
次に図４に示す表示板４１の場合について説明する。図１の表示システム１０において、まず処理部１６は、時計部１９から現在の曜日および時刻情報を受け取り、その曜日および時刻情報に対応する時間帯の表示文字列をメモリ１７から選択し取り込む。取り込まれた文字列は、表示駆動部１８へ送られ、表示部４１のための信号形式に変換される。表示部４１は、受け取った信号に基づき表示文字列を表示する。遠隔地にある入力装置１４から情報が送られる場合は、受信した情報は、通信制御部２０を介して、処理部１６へ送られる。情報のみならず、その他の管理信号を遠隔地から伝送される場合も通信制御部２０を経由して処理部１６へ伝えられ、所定の処理を実行する。
【００１５】
図５は、本表示システムを用いる駐車場の時間貸し料金確認精算管理フロー５０を示す。まず、ステップ５１において、時間帯毎の駐車料金の単価が設定される。すなわち、図１の入力装置１３から駐車料金の単価が入力され、メモリ１７に格納される。駐車料金の単価が格納されると、ステップ５２へ移り、表示板上に駐車料金の単価が表示される。この表示は、上述されたように、予め表示された単価を現在の時間に従って特定する方式（図２、図３）と、現在の時間に従って駐車料金の単価を表示する方式（図４）とがある。
【００１６】
ステップ５３ないしステップ５６は、一般の駐車場管理フローであり、以下簡単に述べる。駐車場の管理は、駐車場を利用する車両の入出庫管理と、駐車料金の徴収管理がある。ステップ５３は、車両の入庫時間を記録し、駐車料金の課金を管理する。ステップ５４は、駐車場に入場した車両が所定の車室に入り、フラッパ等により車両の駐車管理を行なう。ステップ５５では、車両が出庫する際に利用者が支払う駐車料金の精算管理を行なう。駐車料金が支払われると、ステップ５６において、所定の車室のフラッパが下降し、車両の退出が可能となる。
【産業上の利用可能性】
【００１７】
上述したように、本考案は、駐車場における駐車料金の単価を表示する表示システムに適用することができる。この表示システムによれば、駐車場を利用しようとする運転者が運転しながら駐車料金の単価を容易にかつ安全に把握することができる。また、駐車料金の単価が明確に利用者に理解されるので、駐車場を利用しようとする利用者に安心感を与える結果となり、利便性が向上する。
【図面の簡単な説明】
【００１８】
【図１】本考案の一実施例である表示システムの構成を説明するブロック図である。
【図２】本考案の一実施例である表示板を示す。
【図３】本考案の一実施例である他の表示板を示す。
【図４】本考案の一実施例であるさらに他の表示板を示す。
【図５】本考案の一実施例である本表示システムを用いる駐車場管理システムの処理を説明するためのフローチャートである。
【符号の説明】
【００１９】
１０  表示システム
１１  表示板
１２  表示制御装置
１３  入力装置
１４  遠隔入力装置
１５  入力制御部
１６  処理部
１７  メモリ
１８  表示駆動部
１９  時計部
【図１】
0003134738.tif 000003
【図２】
0003134738.tif 000004
【図３】
0003134738.tif 000005
【図４】
0003134738.tif 000006
【図５】
0003134738.tif 000007